(57)【要約】【課題】通常のアイロン台として使用でき、かつ三次元曲面を有する衣類、帽子、下着類などの三次元曲面を維持した状態でアイロンかけを行なうことができるアイロン台の提供。【解決手段】人体の上半身に近い幅寸法を有する胴部２を、胴部２の長手方向に沿う中央部から両側縁部に向けて下がる二次元曲面で形成し、幅寸法より小さい幅寸法を有する頭部３を、胴部の一方の側面側から連続形成したアイロン台１において、頭部３を、中央部から下方に向う三次元曲面で連続形成した構成。【選択図】  図１
2004236823.tif 000002
【特許請求の範囲】
【請求項１】
人体の上半身に近い幅寸法を有する胴部を、前記胴部の長手方向に沿う中央部から両側縁部に向けて下がる二次元曲面で形成し、前記幅寸法より小さい幅寸法を有する頭部を、前記胴部の一方の側面側から連続形成したアイロン台において、
前記頭部を、前記中央部から下方に向う三次元曲面で連続形成したことを特徴とするアイロン台。
【請求項２】
前記胴部の他方の側面側から、下方に向う三次元曲面で連続形成される延設部を、さらに形成したことを特徴とする請求項１に記載のアイロン台。
【請求項３】
前記頭部に近い側の前記両側縁部から、全長が２０ｃｍ以下の両腕部を、さらに連続形成したことを特徴とする請求項１または２に記載のアイロン台。
【請求項４】
前記胴部と前記頭部とを含むアイロン台基部を、中空状に形成し、かつ無数の凸状部をアイロン作用面に一体形成するために、前記アイロン台基部を所定樹脂材料のパリソンを用いてプロー成型することを特徴とする請求項１乃至３のいずれか１項に記載のアイロン台。
【発明の詳細な説明】
【０００１】
【発明の属する技術分野】
本発明は、人体の上半身に近い形状の頭部と胴部とを形成し、長手方向に沿う中央部から両側縁部に向けて次第に下がる二次曲面をアイロン作用面としたアイロン台に関するものである。
【０００２】
【従来の技術】
本願出願人は、人体の上半身に近い形状の頭部と胴部とを形成し、長手方向に沿う中央部から両側縁部に向けて次第に下がる二次曲面をアイロン作用面とするとともに、中空状にブロー成型される人体型アイロン台を提案している。
【０００３】
この人体型アイロン台によれば、アイロン作用面に無数の凸状部を形成することで、アイロンから供給される蒸気を無数の凸状部の谷部で適度に留まる状態を実現可能にして、アイロンが行われるべき衣類に対して上下方向から蒸気を当てるようにしてアイロンかけが効果的に行えるようにしている。
【０００４】
さらに、この人体型アイロン台は、胴部の長手方向に沿う中央部から両側縁部に向けて次第に下がる二次曲面をアイロン作用面としていることから、上下方向の耐荷重が大きくなり、しかもアイロン作用面と平坦なアイロン面との間は線接触状態に近い状態になるので、アイロン移動の際の抵抗が少なくなる結果、軽いアイロン操作を提供できるものである。
【０００５】
一方、上記の人体型アイロン台によれば、アイロンから供給される蒸気はカバーとフェルト部材を介して通過した後に、無数の凸状部の谷部で適度に留まる状態となるので、例えば同じ箇所にアイロンを停止した状態にして蒸気を供給すると、凸状部の谷部において蒸気が過剰に供給されて水滴化するなどの好ましくない状態となる。そこで、同じアイロン作用面上に蒸気アイロンを停止した状態にして、蒸気を供給した場合でも、凸状部の谷部に蒸気が過剰供給されることがなく、アイロンが行われるべき衣類に対して上下方向から常に蒸気を最適な状態で当てるようにしたアイロンかけ台を提案している（例えば、特許文献１）。
【０００６】
【特許文献１】
実開平０７−３７１００号公報。
【０００７】
【発明が解決しようとする課題】
しかしながら、上記の人体型アイロン台によれば、主なアイロン作用面となる胴部と頭部は、胴部の長手方向に沿う中央部から両側縁部に向けて下がる二次元曲面で形成されている。このために、通常のアイロン台として使用する場合には上記のような利点があるが、立体裁断された衣類や帽子またはブラジャー等のように三次元曲面を有する下着類などをアイロンかけするときには、それらの三次元曲面を維持した状態でアイロンかけを行なうことは困難であった。
【０００８】
したがって、本発明は上記の問題点に鑑みて成されたものであり、通常のアイロン台として使用でき、かつ三次元曲面を有する衣類、帽子、下着類などの三次元曲面を維持した状態で、アイロンかけを行なうことができるアイロン台の提供を目的としている。
【０００９】
【課題を解決するための手段】
上述した課題を解決し、目的を達成するために、本発明によれば、人体の上半身に近い幅寸法を有する胴部を、前記胴部の長手方向に沿う中央部から両側縁部に向けて下がる二次元曲面で形成し、前記幅寸法より小さい幅寸法を有する頭部を、前記胴部の一方の側面側から連続形成したアイロン台において、前記頭部を、前記中央部から下方に向う三次元曲面で連続形成したことを特徴としている。
また、前記胴部の他方の側面側から、下方に向う三次元曲面で連続形成される延設部を、さらに形成したことを特徴としている。
【００１０】
また、前記頭部に近い側の前記両側縁部から、全長が２０ｃｍ以下の両腕部を、さらに連続形成したことを特徴としている。
【００１１】
そして、前記胴部と前記頭部とを含むアイロン台基部を、中空状に形成し、かつ無数の凸状部をアイロン作用面に一体形成するために、前記アイロン台基部を所定樹脂材料のパリソンを用いてプロー成型することを特徴としている。
【００１２】
【発明の実施の形態】
以下に、本発明の好適な各実施形態について、添付された図面を参照して説明する。先ず、図１は一実施形態のアイロン台１を蒸気式アイロンまたはアイロン２０とともに、その一部を破断して示した外観斜視図である。
【００１３】
本図において、アイロン台１は、図示のような人体の上半身に近い形状と幅寸法を有する胴部２を備えており、この胴部２の左側の側面から頭部３を、また胴部２の右側の側面から延設部４が一体形成されている。
【００１４】
胴部２は、長手方向に沿う中央部から両側縁部に向けて次第に下がる二次曲面をアイロン作用面としている。このためにアイロン２０を矢印方向に移動するときにアイロン作用面に対する線接触状態にすることで軽く移動できるように構成されている。
【００１５】
また、以上の胴部２と頭部３と延設部４はアイロン台基部６を基部としており、図示の形状を維持できるようにしている。また、このアイロン台基部６の裏面側には図示のような使用状態と不図示の格納状態とにセットされる脚部材５が設けられており、図示の使用状態にして床面または机上に載せることで、後述するように衣類の種類に応じてアイロン掛けされる衣類等をアイロンかけできるようにしている。また、使用後には脚部材５を折りたたむことで室内の狭い収納場所に横にして置くか、立てかけた状態で保管できるようにしている。
【００１６】
図２（ｇ）は、図１のＸ１−Ｘ１線矢視断面図のＡ部拡大断面図である。図１にこの図２（ｇ）をさらに参照して、アイロン台基部６のアイロン作用面上には図示のような無数の凸状部６ａが一体成型されており、これらの凸状部６ａの上にアイロン基部６と同じ形状の厚手の不織布またはフェルト部材７が敷設され、さらにこのフェルト部材７を覆うようにして布製カバー８が被せられてから、この布製カバー８の縁部において袋縫いされた部分に紐を通し、アイロン台基部６の裏面側の縁部において紐１０の終端部を結ぶことで、フェルト部材７がアイロン基部６のアイロン作用面上で動かないように固定して完成される。このようにして、布製カバー６が汚れた場合には取り外して洗濯できるようにしている。あるいは、損傷した布製カバー８を簡単に交換できるようにしている。
【００１７】
このアイロン台基部６は、図２（ｇ）に図示のように中空状に成型される。具体的には、アイロン台基部６はポリエチレン樹脂、ポリスチレン樹脂、スチレンアクリルニトリル樹脂やポリプロピレン樹脂製のパリソンを材料にしてブロー成型によるブロー成型により、凸状部６ａとともに一体成型される。そして、布製カバー６の縁部における袋縫い部分には紐１０が挿通され、紐１０の各端部を結ぶことで上述のように着脱自在に固定できるようにしている。
【００１８】
上記の樹脂材料の耐熱温度は最高でも２００℃前後であり、この温度を超えると変形して原形を留めなくなるが、無数の凸状部６ａが形成されている結果、これらが適度な放熱部材として機能するので、高温での変形は一切発生しない。さらに、図示のように上方に凸状となる断面形状は、断面２次係数が大きいので上下方向の耐荷重が大きくなるとともに、軽量になる利点がある。なお、このアイロン台基部６は所定の強度を有するものであれば木製、金属製、金網製から製造できることも言うまでもない。
【００１９】
以上のようにして準備されたアイロン基部６上の凸状部６ａの谷部に、凸状部６ａの個数分より少ない不図示の第１の貫通孔を穿設し、アイロン基部６の胴部の側端面にも不図示の第２の貫通孔を穿設することで、蒸気アイロンから発生した蒸気を外部に逃がすように構成しても良く、これらの第１の貫通孔と第２の貫通孔の加工は、ドリル加工により行われる。
【００２０】
次に、図２（ａ）は、図１のＸ２−Ｘ２線矢視断面図、（ｂ）は、図１のＸ３−Ｘ３線矢視断面図、（ｃ）は、図１のＸ４−Ｘ４線矢視断面図、（ｄ）は図１のＸ１−Ｘ１線矢視断面図、（ｅ）は、図１のＸ５−Ｘ５線矢視断面図、（ｆ）は、図１のＸ６−Ｘ６線矢視断面図である。また、図３は、図１のアイロン台１の正面図である。
先ず、図３において、アイロン台１は約９０ｃｍの全長Ｌを有しており、胴部２から半径Ｄ１で下方に向う全長約２０ｃｍの頭部３と半径Ｄ２で下方に向う延設部４とが形成されている。これらの半径は一定または適宜増減されることで下方に向う三次元曲面を夫々形成している。また、使用後には脚部材５を矢印方向に折りたたむことで、頭部３と延設部４の間に形成された胴部２の内側に脚部材５が収納されるので、室内の狭い収納場所に立てかけた状態で保管できる。
【００２１】
次に、図２（ｄ）において、胴部２は人体の上半身の幅に近い約４０ｃｍから６０ｃｍの範囲の幅寸法Ｗ１を有し、約５０ｃｍから１００ｃｍの範囲の半径Ｒで形成される二次元曲面を形成している。または、図示のように幅寸法Ｗ１が４２ｃｍのときに最大高さＨが４ｃｍとなる二次元曲面を形成している。この胴部２の中央部から連続形成される頭部２は、図２（ｃ）に示すように約１５ｃｍから２０ｃｍの範囲の寸法Ｗ２と内部の約１０ｃｍから４０ｃｍの範囲の半径Ｒ３を有して連続形成され、さらに図２（ｂ）に示すように幅寸法Ｗ２より小さい約１２から１８ｃｍ前後の幅寸法Ｗ３と半径Ｒ３より小さい内部の半径Ｒ２を有して連続形成され、そして図２（ａ）に示すように幅寸法Ｗ３より小さい幅寸法Ｗ４である１０から１２ｃｍと半径Ｒ２より小さい内部の半径Ｒ１が半径Ｒ２を有して連続形成される。以上により、頭部２には、帽子などの球体形状の一部が胴部２から連続形成されている。
【００２２】
一方、延設部４は、図２（ｅ）、（ｆ）に示すように、胴部２の半径Ｒまたはそれ以下の半径を有し、各縁部に近い部分が約１０ｃｍの半径Ｒ４、Ｒ５を有するように胴部２から連続形成されている。
【００２３】
以上の構成において、蒸気アイロン２０を図１で示す長手方向と横方向に移動しつつアイロンかけするときに発生する熱により衣服へのアイロンかけが行われる。
【００２４】
このとき、衣類を通過した蒸気の大半は布製カバー８とフェルト部材７を通過し凸状部６ａの間の谷部に滞留して衣類に適度な湿り気を与えることでアイロンかけを効率良く行なえる。また、過剰に供給された蒸気は、第１の貫通孔を介してアイロン基部６の内部に導入され、第２の貫通孔から外部に逃げるようにできる。
【００２５】
図４（ａ）は、帽子Ｈにアイロンかけする様子を示した外観斜視図、（ｂ）は帽子Ｈの鍔部分にアイロンかけする様子を示した外観斜視図、（ｃ）は、帽子Ｈにアイロンかけする様子を示した外観斜視図、（ｄ）は帽子Ｈの鍔部分にアイロンかけする様子を示した外観斜視図、（ｅ）はブラジャーにアイロンかけする様子を示した外観斜視図である。
【００２６】
図４（ａ）において、例えば洗濯後の帽子Ｈのアイロンかけを行なうために、破線で示す頭部３に帽子Ｈを被せる。すると、略隙間なく帽子Ｈの約４分の一の部分がアイロン台の頭部３で支持される状態になるので、アイロン２０を上下左右方向に移動してアイロンかけする。その後、帽子Ｈの他の部分のアイロンかけを行なう。次に、図４（ｂ）に示すように鍔部分を胴部２上に載せてアイロンかけする。このとき、胴部２の曲面に鍔部分が隙間なくセットできるので、簡単にアイロンかけできることになる。
【００２７】
また、鍔部分が長いデザインの帽子Ｈの場合には、図４（ｃ）において、洗濯後の帽子Ｈのアイロンかけを行なうために、破線で示す頭部３に帽子Ｈを被せることで略隙間なく帽子Ｈの約４分の一の部分がアイロン台の頭部３で支持される状態になるので、アイロン２０を上下左右方向に移動してアイロンかけを行う。その後、帽子Ｈの他の部分のアイロンかけを行なうことで全体のアイロンかけを終える。次に、図４（ｄ）に示すように長い鍔部分を胴部２の肩部分上に載せてアイロンかけを行う。
【００２８】
一方、図４（ｅ）において、例えば洗濯後のブラジャーＢへのアイロンかけを行なうために、破線で示す頭部３に片方の乳部分を被せる。すると、略隙間なく乳部分がアイロン台の頭部３で支持される状態になるので、アイロン２０を上下左右方向に移動してアイロンかけする。その後、他方の乳部分のアイロンかけを行なう。このようにしてアイロンかけできるので、例えば刺繍が施された高級ブラジャーの刺繍部分へのアイロンかけ作業は従来不可能とされていたが、誰でも簡単に失敗なくできるようになる。
【００２９】
次に、図５（ａ）は、ズボンＴの尻部分にアイロンかけする様子を示した外観斜視図、（ｂ）はズボンＴの前部分にアイロンかけする様子を示した外観斜視図である。本図において、起立状態にセットされたアイロン台に対してスボンＴを破線図示の延設部４に夫々図示されるように被せることで、例えば洗濯後のズボンＴのアイロンかけを行なう。このために、破線で示す延設部４にズボンＴを被せることで略隙間なく延設部４支持される状態になる一方、アイロンかけしない部分は図示のように垂れ下がる状態になる。そこで、アイロンを上下左右方向に移動してアイロンかけを行うことができる。以上のようにして、ズボンＴの立体裁断されている部分へのアイロンかけを簡単に行うことができる。その後、胴部２に載せて、ズボンＴの折り目のアイロンかけを行う。
【００３０】
また、図６（ａ）は、ワイシャツＳの襟部分にアイロンかけする様子を示した外観斜視図、（ｂ）はワイシャツＳの背中部分にアイロンかけする様子を示した外観斜視図、（ｃ）は、ワイシャツＳの前身ごろにアイロンかけする様子を示した外観斜視図である。
【００３１】
そして、図７（ａ）は、ワイシャツＳの袖口部分にアイロンかけする様子を示した外観斜視図、（ｂ）はワイシャツＳの肩部分にアイロンかけする様子を示した外観斜視図、（ｃ）は、ワイシャツＳの脇部分にアイロンかけする様子を示した外観斜視図である。
【００３２】
先ず、図６（ａ）において、起立状態にセットされたアイロン台に対して洗濯後のワイシャツＳの襟部分を胴部２に対して図示のように載せることで、アイロンかけを行なう。襟部分の表裏のアイロンかけ後に、図６（ｂ）において、胴部２上に背中部分を載せてアイロンかけをする。そして、図６（ｃ）において、前身ごろ部分を胴部２に半分づつ被せて、アイロンを上下左右方向に移動してアイロンかけを行う。
【００３３】
次に、図７（ａ）において、袖口部分を頭部３に被せてアイロンかけを行う。そして、図７（ｂ）において、肩部分を頭部３に被せた状態でアイロンかけをおこない、図７（ｃ）において、脇部分を頭部３に被せてアイロンかけする。
【００３４】
さらに、図８（ａ）は、シャツＵの立体裁断された襟部分をアイロンかけする様子を示した外観斜視図、（ｂ）はハンカチＫとネクタイＮをアイロンかけする様子を示した外観斜視図、（ｃ）はベストＶをアイロンかけする様子を示した外観斜視図である。
【００３５】
図８（ａ）において、シャツＵの立体裁断された襟部分をアイロンかけする場合には、延設部４に襟部分を載せることで隙間なくセットできるのでアイロンかけが皺の発生なく簡単にできるようになる。また、図８（ｂ）において、ハンケチＫやネクタイＮなどの単純な平面状のものは胴部２に広げるようにしてセットすれば自動的に皺が伸ばされてアイロンかけできる。特に、ハンケチＫは整然と揃えておけば、手で押さえなくとも例えば５枚を同時にアイロンかけできる。そして、図８（ｃ）において、ベスト（チョッキ）Ｖの背中部分のアイロンを行う場合には、図示のように胴部２と頭部３にベストＶを着せるようしてセットすることで、ベストＶを押さえなくともアイロンかけできる。
【００３６】
次に、図９（ａ）から（ｄ）は、アイロン台の別実施形態を示した外観斜視図である。本図において、既に説明済みの構成部品については同様の符号を附して説明を割愛すると、先ず、図９（ａ）において、胴部２からは頭部３のみが連続形成されており、延設部は設けられていない。また、図９（ｂ）において、胴部２からは延設部４のみが連続形成されており、頭部３０は胴部２から二次元曲面で連続形成されている。そして、図９（ｃ）、（ｄ）において、基部２には全長２０ｃｍ以下の両腕部２１、２１がさらに連続形成されており、所謂「奴形」にすることで子供服については完全に着せる状態にしてアイロンかけできるようにしている。
【００３７】
【発明の効果】
以上説明したように、本発明によれば、通常のアイロン台として使用でき、かつ三次元曲面を有する衣類、帽子、下着類などの三次元曲面を維持した状態でアイロンかけを行なうことができるアイロン台を提供することができる。
【図面の簡単な説明】
【図１】一実施形態のアイロン台１を蒸気式アイロンまたはアイロン２０とともに、その一部を破断して示した外観斜視図である。
【図２】（ａ）は、図１のＸ２−Ｘ２線矢視断面図、（ｂ）は、図１のＸ３−Ｘ３線矢視断面図、（ｃ）は、図１のＸ４−Ｘ４線矢視断面図、（ｄ）は図１のＸ１−Ｘ１線矢視断面図、（ｅ）は、図１のＸ５−Ｘ５線矢視断面図、（ｆ）は、図１のＸ６−Ｘ６線矢視断面図、（ｇ）は、図２（ｄ）のＡ部拡大断面図である。
【図３】図１のアイロン台１の正面図である。
【図４】（ａ）は、帽子Ｈにアイロンかけする様子を示した外観斜視図、（ｂ）は帽子Ｈの鍔部分にアイロンかけする様子を示した外観斜視図、（ｃ）は、帽子Ｈにアイロンかけする様子を示した外観斜視図、（ｄ）は帽子Ｈの鍔部分にアイロンかけする様子を示した外観斜視図、（ｅ）はブラジャーにアイロンかけする様子を示した外観斜視図である。
【図５】（ａ）は、ズボンＴの尻部分にアイロンかけする様子を示した外観斜視図、（ｂ）はズボンＴの前部分にアイロンかけする様子を示した外観斜視図である。
【図６】（ａ）は、ワイシャツＳの襟部分にアイロンかけする様子を示した外観斜視図、（ｂ）はワイシャツＳの背中部分にアイロンかけする様子を示した外観斜視図、（ｃ）は、ワイシャツＳの前身ごろにアイロンかけする様子を示した外観斜視図である。
【図７】（ａ）は、ワイシャツＳの袖口部分にアイロンかけする様子を示した外観斜視図、（ｂ）はワイシャツＳの肩部分にアイロンかけする様子を示した外観斜視図、（ｃ）は、ワイシャツＳの脇部分にアイロンかけする様子を示した外観斜視図である。
【図８】（ａ）は、シャツＵの立体裁断された襟部分をアイロンかけする様子を示した外観斜視図、（ｂ）はハンカチＫとネクタイＮをアイロンかけする様子を示した外観斜視図、（ｃ）はベストＶをアイロンかけする様子を示した外観斜視図である。
【図９】（ａ）から（ｄ）は、アイロン台の別実施形態を示した外観斜視図である。
【符号の説明】
１  アイロン台
２  胴部
３  頭部
４  延設部
５  脚部材
６  アイロン台基部
６ａ  凸状部
７  フェルト部材
８  布製カバー
【図１】
2004236823.tif 000003
【図２】
2004236823.tif 000004
【図３】
2004236823.tif 000005
【図４】
2004236823.tif 000006
【図５】
2004236823.tif 000007
【図６】
2004236823.tif 000008
【図７】
2004236823.tif 000009
【図８】
2004236823.tif 000010
【図９】
2004236823.tif 000011